(57)【要約】      （修正有）【課題】長時間の攪拌を要さずに、被攪拌物を残さないようにジュースを作成することができ、さらに、容器本体の内壁の摩損を防止する、ジューサーの容器構造を提供する。【解決手段】容器本体１と、容器本体１の内壁周面に設ける保護部２と、保護部２の内壁周面に設ける卸し部２１とを備える。また、容器本体１の内壁周面に凸部１１、保護部２の外壁周面に凹部２２を設け、卸し部２１は、凹部２２に相当する位置２１’にも設けている。さらに、凸部１１及び凹部２２の一端は垂直壁面１１１，２２１である。【選択図】図１
0003116126.tif 000002
【実用新案登録請求の範囲】
【請求項１】
容器本体と、当該容器本体の内壁周面に設ける保護部と、当該保護部の内壁周面に設ける卸し部とを備えることを特徴とするジューサーの容器構造。
【請求項２】
前記容器本体の内壁周面に設けた凸部と、前記保護部の外壁周面に設けた凹部とを備えることを特徴とする請求項１に記載のジューサーの容器構造。
【請求項３】
前記保護部は、前記容器本体の内壁周面の一部を保護することを特徴とする請求項１に記載のジューサーの容器構造。
【請求項４】
前記保護部は、前記容器本体の内壁周面の全部を保護することを特徴とする請求項１に記載のジューサーの容器構造。
【請求項５】
前記保護部は、一体成型であることを特徴とする請求項１に記載のジューサーの容器構造。
【請求項６】
前記保護部は、組立型あるいは折畳型であることを特徴とする請求項１に記載のジューサーの容器構造。
【請求項７】
前記卸し部は、前記保護部の内壁周面における前記凹部に相当する位置に設けることを特徴とする請求項２に記載のジューサーの容器構造。
【請求項８】
前記凸部及び前記凹部の一端は垂直壁面であることを特徴とする請求項２に記載のジューサーの容器構造。
【請求項９】
前記容器本体及び前記保護部は、透明又は半透明な材質を用いていることを特徴とする請求項１に記載のジューサーの容器構造。
【考案の詳細な説明】
【技術分野】
【０００１】
本考案はジューサーの容器構造に関する。
【背景技術】
【０００２】
図１２は従来使用されているジューサーを示したものである。容器本体１の下部には回転機構を備え、刃３が回転軸を中心に設けられており、刃３が高速回転することにより、容器本体１に入っている野菜や果物等の被攪拌物が攪拌され、ジュースが作成される。刃３が高速回転しているとき、容器本体１内では、図１３のような旋回流４が形成されている。
【特許文献１】台湾特許２００４年３月２１日公告第５８０８９９号“ジューサー容器本体の改良結構”
【特許文献２】台湾特許２００４年１０月２１日公告第Ｍ２４７１４１号“ジューサー容器本体の安全保護覆い構造”
【考案の開示】
【考案が解決しようとする課題】
【０００３】
しかしながら、図１３に示すように、容器本体１に入っている野菜や果物等の被攪拌物４１は、旋回流４により遠心力が働き、容器本体１の内壁周辺に集まる。このため、短時間の攪拌では、被攪拌物４１が残ってしまい、作成されるジュースは喉ごしが悪いものになってしまう。スプーン等を用いて、残った被攪拌物４１を潰してジュースにしても良いが、作業が面倒であるという問題がある。
【０００４】
そこで、被攪拌物４１を残さないようにするため、長時間攪拌しなければならないが、攪拌時間が長くなると、酸化時間も長くなるので、活性繊維及び栄養素が破壊され、ジュースの色も悪くなるという問題がある。また、ジューサーを長い年月使用すると、容器本体の内壁に被攪拌物４１が衝突したことにより、すり減ってしまうという、摩損の問題がある。被攪拌物４１は旋回流４の遠心力により内壁と衝突したことで容器本体の内壁がすり減る場合がある。このため、すり減った破片が、作成するジュースの中に混ざってしまうこともあり、危険である。上記特許文献では、こうした容器本体１の内壁の摩損を防止するため、容器本体１の内壁を覆う保護部を別に備えているが、やはり、被攪拌物４１を残さないようにジュースを作成するためには、長時間の攪拌を要するという問題がある。
【０００５】
こうした問題に着目し、本考案は、長時間の攪拌を要さずに、被攪拌物を残さないようにジュースを作成することができ、さらに、容器本体の内壁の摩損を防止する、ジューサーの容器構造を提供することを目的とする。
【課題を解決するための手段】
【０００６】
本考案のジューサーの容器構造は、容器本体と、当該容器本体の内壁周面に設ける保護部と、当該保護部の内壁周面に設ける卸し部とを備えることを特徴とする。
【０００７】
また、本考案のジューサーの容器構造は、容器本体の内壁周面に凸部、保護部の外壁周面に凹部を設け、卸し部は、凹部に相当する位置にも設けている。さらに、凸部及び凹部の一端は垂直壁面であることを特徴とする。
【考案の効果】
【０００８】
本考案によれば、保護部を容器本体の内壁周面に設置することにより、野菜や果物等の被攪拌物を攪拌する際、容器本体の内壁周面への被攪拌物の衝突を防止できるので、容器本体の内壁周面は摩損せず、また、保護部の内壁周面に設けた卸し部により、被攪拌物を効率良く、すり卸すことができるので、長時間の攪拌を要さずに、効率良くジュースを作成することができる。
【０００９】
また、本考案によれば、凸部により凹部をガイドするので、簡単かつ安定した状態で保護部を容器本体に設置することができる。凹部に相当する位置には卸し部も設けられ、さらに、その一端は垂直壁面を形成しているので、旋回流が中心を向くように動作させることができ、長時間の攪拌を要さずに、効率良くジュースを作成することができる。
【考案を実施するための最良の形態】
【００１０】
以下、本考案を実施するための最良の形態について、以下の各実施例により説明する。なお、本考案は、以下の実施例で説明する範囲に限定されるものではなく、その要旨を逸脱しない範囲であれば、適宜に変更及び実施できるものである。
【実施例１】
【００１１】
以下、本考案の第１実施例を説明する。図１に示すように、本実施例のジューサーの容器構造は、その構成を大きく分けると、容器本体１と保護部２からなる。
【００１２】
容器本体１は、下部に回転機構を備え、当該回転機構の回転軸を中心に刃３を設けている。刃３が高速回転することにより、容器本体１に入っている野菜や果物等の被攪拌物が攪拌され、ジュースが作成される。また、容器本体１は、使用者が持つための把持部１２、作成したジュースを別の容器に移すための注ぎ口１３を設けている。さらに、容器本体１の内壁周面には凸部１１を設けている。さらに、凸部１１の一端は垂直壁面１１１を形成している。
【００１３】
保護部２は、外壁周面に凹部２２を設けており、容器本体１の凸部１１の位置に凹部２２を設置する。凸部１１により凹部２２をガイドするので、簡単かつ安定した状態で保護部２を容器本体１に設置することができる。また、凹部２２の一端は凸部１１と同じく垂直壁面２２１を形成している。図４に示すように、上方から見ると、上記凸部１１及び凹部２２の一つの端面は垂直壁面である。これにより、ジュース作成時、渦巻きの中心に向って披攪拌物４１を引き込むような旋回流４を形成することができる（図５参照）。さらに、保護部２の内壁周面には卸し部２１を設けている。卸し部２１の配列は平行或いは交差配列が好ましいが、特に限定するものではない。また、卸し部２１は保護部２の内壁周面における凹部２２に相当する位置２１’にも設けられている。なお、容器本体１内部の底面にも基盤２０を増設しても良い。また、保護部２の硬度は、容器本体１よりも摩損し難い、硬い材質であることが好ましく、金属や硬化ガラス、あるいは、これらの硬度以上の合金や非合金等が好ましい。さらに、保護部２の内壁周面の上端や下端にストッパー２５ａ，２５ｂを設け、これらを容器本体１の内壁周面に配した箇所に備えることにより、より安定した状態で保護部２を容器本体１に設置することができる。
【００１４】
図２に示す保護部２は、容器本体１の内壁周面の一部を保護する形態であり、この形態によれば、保護部２は容器本体１の一部分のみを保護し、他の部分は保護していないので、保護されていない部分から、容器内部の攪拌状況を確認することができる。一方、容器本体１の内壁周面の全部を保護する形態をとった場合には、保護部２は容器本体１の全部を保護するので、保護部２が透明又は半透明な材質を用いていない限り、容器内部の攪拌状況を確認することができないが、容器本体の内壁が磨り減るのを防止することができる。なお、本実施例で用いる保護部２は、一体成型であるが、組立型や折り畳み型であっても良い。
【００１５】
以上のように構成されたジューサーの容器構造を用いてジュースを作成するときの様子を説明する。容器本体1下部の回転機構を用いると、回転軸を中心に刃３が高速回転し、野菜や果物等の被攪拌物を攪拌する。このときの様子は、図５に示すように、刃３の高速回転により形成される旋回流４が、渦巻きの中心に向って披攪拌物４１を引き込むように動作する。ただし、ここでは小さい披攪拌物４１だけが引き込まれるだけであり、大きい披攪拌物４１は保護部２の内壁周面に集まる。内壁周面に集まった被攪拌物４１は卸し部２がすり卸すことにより、大きかった披攪拌物４１も速やかに小さくなり、旋回流４の渦巻きの中心に向って披攪拌物４１を引き込み、それを刃３がさらに細かくして、ジュースを作成していくことができる。
【００１６】
以上、本実施例によれば、保護部２を容器本体１の内壁周面に設置することにより、野菜や果物等の被攪拌物を攪拌する際、容器本体１の内壁周面への被攪拌物の衝突を防止できるので、容器本体１の内壁周面は摩損せず、また、保護部２の内壁周面に設けた卸し部２１により、被攪拌物４１を効率良く、すり卸すことができ、さらに、凹部２２の一端は垂直壁面を形成しているので、旋回流４が中心を向くように動作させることができるので、長時間の攪拌を要さずに、効率良くジュースを作成することができる。
【実施例２】
【００１７】
以下、本考案の第２実施例を説明する。図６に示すように、本実施例のジューサーの容器構造は、その構成を大きく分けると、容器本体１と保護部２からなる。以下に示す構成以外は、実施例１と同様なので、重複する説明は省略する。
【００１８】
保護部２の上端は、数本の骨組み２３を延設している。さらに、各骨組み２３は略同じ長さに設けられ、水平ループ２４を連設している。また、容器本体１には、ジュースの作成時に用いる蓋（図示しない）を載置する載置部１４を備えており、水平ループ２４は、この位置に載置される。すなわち、水平ループ２４は載置部１４と蓋に挟まれるようにして固定され、保護部２が動くのを防止することができる（図７参照）。
【００１９】
以上、本実施例によれば、骨組み２３及び水平ループ２４により、保護部２の容器本体１への取り付け、あるいは取り外しを簡単に行うことができるとともに、保護部２が動くのを防止することができる。
【実施例３】
【００２０】
以下、本考案の第３実施例を説明する。図８に示すように、本実施例のジューサーの容器構造は、その構成を大きく分けると、容器本体１と保護部２からなる。以下に示す構成以外は、実施例１及び２と同様なので、重複する説明は省略する。
【００２１】
本実施例において保護部２は数枚の保護片２ａからなり、保護片２ａは側端を連結することにより組み立てられる。また、保護片２ａの側端に設けられた凹部２２には、内側に向って湾曲したグリップ２２２を形成している。一方、容器本体１に設けられた凸部１１には、ガイド溝１１３を形成している。グリップ２２２は、ガイド溝１１３によりガイドされ、簡単かつ安定した状態で保護部２を容器本体１に設置することができる（図９参照）。なお、凹部２２の他端（グリップ２２２が形成されていない側）も、凸部１１に形成したガイド溝１１２によりガイドされる。また、本実施例においても、卸し部２１は保護部２の内壁周面における凹部２２に相当する位置２１’に設けられている。また、保護部２ａの上端には、保護部２の容器本体１からの取外しを簡単にする突出弁２６を設けている。
【００２２】
以上、本実施例によれば、保護部２を数枚の保護片２ａにより、容器本体１への取り付けを任意に行うことができる。例えば、図８において、保護片２ａは３枚あるが、そのうちの２枚を用いて、容器本体１の内壁周面を保護するようにしても良い。
【実施例４】
【００２３】
以下、本考案の第４実施例を説明する。図１０に示すように、本実施例のジューサーの容器構造は、その構成を大きく分けると、容器本体１と保護部２からなる。以下に示す構成以外は、実施例１乃至３と同様なので、重複する説明は省略する。
【００２４】
本実施例において保護部２は数枚の保護片２ｂからなり、かつ保護片２ｂの上端には水平ループ２４を形成している。これにより、保護片２ｂの側端を連結して組み立てたとき、容器本体１の内壁周面の全部を保護することができる。また、水平ループ２４は載置部１４と蓋に挟まれるようにして固定されるので、水平ループ２４により、容器本体１への取り付け、あるいは取り外しを簡単に行うことができるとともに、保護部２が動くのを防止することができる（図１１参照）。
【００２５】
以上、本実施例によれば、保護部２を数枚の保護片２ｂにより、容器本体１への取り付けを任意に行うことができる。例えば、図１０において、保護片２ｂは３枚あるが、そのうちの２枚を用いて、容器本体１の内壁周面を保護するようにしても良い。これにより、容器本体１の内壁周面の一部から容器内部の攪拌状況を確認することができる。
【００２６】
なお、実施例１乃至４では、容器本体１及び保護部２は、分離型であることを想定して説明したが、予め、これらを分離できないように成形しても良い。例えば、保護部２をプリフォームした後、射出成形技術より容器本体１と結合させても良い。保護部２を金型に入れた後、保護部２の外側に透明また半透明のアクリル材質の容器本体１を射出することより、分離できないように、結合することができる。
【図面の簡単な説明】
【００２７】
【図１】本考案の一実施例で用いるジューサーの容器構造の分解斜視図（実施例１）
【図２】本考案の一実施例で用いるジューサーの容器構造の斜視図（実施例１）
【図３】本考案の一実施例で用いるジューサーの容器構造を側方から見た図（実施例１）
【図４】本考案の一実施例で用いるジューサーの容器構造を上方から見た図（実施例１）
【図５】本考案の一実施例で用いるジューサーの容器構造の攪拌時の様子を上方から見た図（実施例１）
【図６】本考案の一実施例で用いるジューサーの容器構造の分解斜視図（実施例２）
【図７】本考案の一実施例で用いるジューサーの容器構造の斜視図（実施例２）
【図８】本考案の一実施例で用いるジューサーの容器構造の分解斜視図（実施例３）
【図９】本考案の一実施例で用いるジューサーの容器構造の斜視図（実施例３）
【図１０】本考案の一実施例で用いるジューサーの容器構造の分解斜視図（実施例４）
【図１１】本考案の一実施例で用いるジューサーの容器構造の斜視図（実施例４）
【図１２】従来のジューサーの容器構造を側方から見た図
【図１３】従来のジューサーの容器構造の攪拌時の様子を上方から見た図
【符号の説明】
【００２８】
１  容器本体
２  保護部
２１，２１’  卸し部
１１  凸部
２２  凹部
【図１】
0003116126.tif 000003
【図２】
0003116126.tif 000004
【図３】
0003116126.tif 000005
【図４】
0003116126.tif 000006
【図５】
0003116126.tif 000007
【図６】
0003116126.tif 000008
【図７】
0003116126.tif 000009
【図８】
0003116126.tif 000010
【図９】
0003116126.tif 000011
【図１０】
0003116126.tif 000012
【図１１】
0003116126.tif 000013
【図１２】
0003116126.tif 000014
【図１３】
0003116126.tif 000015